(57)【特許請求の範囲】
【請求項１】
下階建物ユニットの上に上階建物ユニットを載せると該下階建物ユニットの天井梁の上面と該上階建物ユニットの床梁の下面との間に間隙が形成される建物ユニットの連結構造であって、
基端部から先端部までの高さが前記間隙のばらつきを含む最大値と同等以上となるバネ板を用いて、前記下階建物ユニットの断面コ字形の前記天井梁の上側フランジに前記基端部を固定し、前記先端部は前記下階建物ユニットの上に載せられる前記上階建物ユニットの断面コ字形の前記床梁の下側フランジに当接させることで、下階建物ユニットの天井梁と上階建物ユニットの床梁とが連結されていることを特徴とする建物ユニットの連結構造。
【請求項２】
下階建物ユニットの上に上階建物ユニットを載せると該下階建物ユニットの天井梁の上面と該上階建物ユニットの床小梁の下面との間に間隙が形成される建物ユニットの連結構造であって、
基端部から先端部までの高さが前記間隙のばらつきを含む最大値と同等以上となるバネ板を用いて、前記下階建物ユニットの断面コ字形の前記天井梁の上側フランジに前記基端部を固定し、前記先端部は前記下階建物ユニットの上に載せられる前記上階建物ユニットの断面コ字形の前記床梁に接合されている前記床小梁の下面に当接させることで、下階建物ユニットの天井梁と上階建物ユニットの床小梁とが連結されていることを特徴とする建物ユニットの連結構造。
【請求項３】
バネ板がほぼ中央部で折り返されてＵ字形に形成されて先端部が基端部の上に位置するものであることを特徴とする請求項１の建物ユニットの連結構造。
【請求項４】
バネ板が中途部で屈曲されて先端部が基端部よりも上方に位置するものであることを特徴とする請求項１又は２記載の建物ユニットの連結構造。
【発明の詳細な説明】
【０００１】
【発明の属する技術分野】
この発明は建物ユニットの連結構造に関する。
【０００２】
【従来の技術】
ユニット建物は、運搬可能な一定の大きさの箱形の、かつ、内部、外部の仕上げられた建物ユニットを、予め、工場で製造し、この建物ユニットの複数個を施工現場に運搬し、施工現場で組み立てて建物とすものであって、現場施工期間が短く、かつ、寸法精度の良い標準化された建物となる特徴があることから、近年、広く採用されている。
【０００３】
このとき使用される建物ユニットとしては、種々あるが、その代表的な建物ユニットの骨格は、特公昭６１−４２０６１号公報に記載されているように、方形の四隅に配置した４本の鋼製の四角筒の柱と、この４本の柱の上端部を方形の辺に沿って連結した鋼製の断面コ字形の天井梁と、この４本の柱の下端部を方形の辺に沿って連結した鋼製の断面コ字形の床梁とからなっている。
【０００４】
そして、この相対する天井梁に天井野縁を差し渡し、この天井野縁の下面に天井材を取り付けて天井とし、相対する床梁に床小梁を差し渡し、この上に床根太を取り付け、この床根太の上に床材を取り付けて床とし、天井梁と床梁との間に間柱を取り付け、この間柱に壁パネルを取り付けて壁として、建物ユニットとしている。
【０００５】
この建物ユニットをユニット建物に構築するには、施工現場にて、建物ユニットの複数個を上下方向や水平方向に配置して相互に連結する。この連結は、通常、天井梁、床梁等の構造材同士を連結している。
【０００６】
この建物ユニットの連結構造としては種々知られている。
例えば、特公平６−１５７８５号公報（以下従来例１という）には、第一建物ユニットと第二建物ユニットを隣接して据え付け、この第一建物ユニットの断面コ字形の天井梁の上側フランジと第二建物ユニットの断面コ字形の天井梁の上側フランジとの上にスペーサを取り付けた後、第一建物ユニットの上に第三建物ユニットを、また、第二建物ユニットの上に第四建物ユニットをそれぞれ前記スペーサを挟んで据え付け、この第三建物ユニットの断面コ字形の床梁の上側フランジの上と第四建物ユニットの断面コ字形の床梁の上側フランジの上とに連結プレートを架け渡して載せ、連結プレートと第三建物ユニットの上側フランジとをボルト・ナットで連結し、連結プレートと第四建物ユニットの上側フランジとをボルト・ナットで連結することが記載されている。
【０００７】
また、特開平７−１５８１６５号公報（以下従来例２という）には、上記スペーサの上下に粘着テープ等の弾性材を設けることにより防振性を向上させることが記載されている。
【０００８】
また、特開昭６２−５９７４２号（以下従来例３という）には、上下に積層される第一建物ユニットの天井梁の上側フランジと第三建物ユニットの床梁の下側フランジとの間にスペーサを介装した状態で、それらの上側フランジと下側フランジをボルト締結し、上階の床振動を抑えるものが記載されている。
【０００９】
【発明が解決しようとする課題】
しかし、従来例１および従来例２では、第三建物ユニットの断面コ字形の床梁の上側フランジの上と第四建物ユニットの断面コ字形の床梁の上側フランジの上とに連結プレートを架け渡して載せ、連結プレートと第三建物ユニットの上側フランジとをボルト・ナットで連結し、連結プレートと第四建物ユニットの上側フランジとをボルト・ナットで連結しているが、このように床梁をボルト・ナットで連結するためには、下階の第一建物ユニットの天井梁、第二建物ユニットの天井梁、上階の第三建物ユニットの床梁および第四建物ユニットの床梁がそれぞれ所定位置にある必要がある。ところが、建物ユニットを据え付けたときの誤差等で、隣接する建物ユニットの位置が若干ずれることが多く、従って、建物ユニットの位置調整をしないと、第一建物ユニットの天井梁および第二建物ユニットの天井梁と、第三建物ユニットの床梁および第四建物ユニットの床梁との上に連結プレートを架け渡し、床材と連結プレートに設けられた通孔を合わせ、この通孔の中にボルトを挿入して、第三建物ユニットの床梁と第四建物ユニットの床梁とをボルト・ナットで連結することが極めて困難である。
【００１０】
また、この上階の第三建物ユニットの床梁や第四建物ユニットの床梁と連結プレートとをボルト・ナットで連結するときには、下階の建物ユニットの上に上階の建物ユニットを据え付けた後に、床梁の上や内側に手を入れてボルト・ナットで連結する必要があるが、このように床梁の上や内側に手を入れてボルト・ナットで連結するためには、床梁の上に床材を取り付けていると施工できない。従って、従来は、工場等では床梁の上に床材を取り付けずに施工現場に運搬し、施工現場でボルト・ナットで床梁をスペーサを挟んで取り付けた後に床梁の上方の床材を取り付けていた。しかし、このようにすると現場施工工数が多くなり不便であった。
【００１１】
従来例３では、第一建物ユニットの天井梁と第三建物ユニットの床梁とをボルト締結するとき、天井梁の上や床梁の下に手を入れてボルト締結する必要がある。このため、工場等では、天井梁に天井材の一部を取付けず、また床梁に床材の一部を取付けず、施工現場で上述のボルト締結を行なった後にそれらの天井材、床材を取付ける必要があり、現場施工工数が多くなり不便であった。
【００１２】
また、従来例１では、上階建物ユニットの床振動を抑えることについての配慮はされておらず、従来例２においても、スペーサの上下に粘着テープを設けているが、粘着テープだけでは振動を十分に吸収できず十分なものであるとはいえなかった。さらに、従来例３では、第一建物ユニットの天井梁の上側フランジと第三建物ユニットの床梁の下側フランジとの間にスペーサを介装していても、それらの上側フランジと下側フランジをボルト締結してしまって固定しているので、スペーサの防振機能が十分に発揮されず十分なものであるとはいえなかった。
【００１３】
この発明は、上記の点に鑑みてなされたものであり、据えつける位置が若干異なっても、下階の建物ユニットの上に上階の建物ユニットを所定位置に簡単に連結することができ、上階建物ユニットの床振動を抑えた建物ユニットの連結構造を提供することを目的とする。
【００１４】
また、工場等で上階の建物ユニットの床材を取り付けていても下階の建物ユニットの天井梁と上階の建物ユニットの床梁とを連結することのできる建物ユニットの連結構造も合わせて提供することである。
【００１５】
【課題を解決するための手段】
請求項１記載の発明の建物ユニットの連結構造は、下階建物ユニットの上に上階建物ユニットを載せると該下階建物ユニットの天井梁の上面と該上階建物ユニットの床梁の下面との間に間隙が形成される建物ユニットの連結構造であって、基端部から先端部までの高さが前記間隙のばらつきを含む最大値と同等以上となるバネ板を用いて、前記下階建物ユニットの断面コ字形の前記天井梁の上側フランジに前記基端部を固定し、前記先端部は前記下階建物ユニットの上に載せられる前記上階建物ユニットの断面コ字形の前記床梁の下側フランジに当接させることで、下階建物ユニットの天井梁と上階建物ユニットの床梁とが連結されていることを特徴としている。
【００１６】
請求項２記載の発明の建物ユニットの連結構造は、下階建物ユニットの上に上階建物ユニットを載せると該下階建物ユニットの天井梁の上面と該上階建物ユニットの床小梁の下面との間に間隙が形成される建物ユニットの連結構造であって、基端部から先端部までの高さが前記間隙のばらつきを含む最大値と同等以上となるバネ板を用いて、前記下階建物ユニットの断面コ字形の前記天井梁の上側フランジに前記基端部を固定し、前記先端部は前記下階建物ユニットの上に載せられる前記上階建物ユニットの断面コ字形の前記床梁に接合されている前記床小梁の下面に当接させることで、下階建物ユニットの天井梁と上階建物ユニットの床小梁とが連結されていることを特徴としている。
【００１７】
請求項３記載の発明の建物ユニットの連結構造は、請求項１記載の建物ユニットの連結構造において、バネ板がほぼ中央部で折り返されてＵ字形に形成されて先端部が基端部の上に位置することを特徴としている。
【００１８】
請求項４記載の発明の建物ユニットの連結構造は、請求項１又は２記載の建物ユニットの連結構造において、バネ板が中途部で屈曲されて先端部が基端部よりも上方に位置するものであることを特徴としている。
【００１９】
（作用）
請求項１記載の発明にあっては、下階建物ユニットの天井梁の上側フランジにバネ板の基端部を固定しておくことで、下階建物ユニットの上に上階建物ユニットを据え付けると、上階建物ユニットの床梁が上述のバネ板の先端部に当接して、下階建物ユニットの天井梁と上階建物ユニットの床梁とを互いに引き寄せ、上下に強固に連結できる。
【００２０】
なお、バネ板において、その先端部の基端部からの高さを、下階建物ユニットの天井梁の上側フランジと上階建物ユニットの床梁の下面とがなす間隙のばらつきを含む最大値と同等以上とすることにより、バネ板は弾性撓みによって上記ばらつきを吸収しながら、上階建物ユニットの床梁の下面に当接できる。
【００２１】
このとき、下階建物ユニットと上階建物ユニットは、下階建物ユニットの上に上階建物ユニットを据え付けるだけでバネ板の先端部と上階建物ユニットの床梁との当接状態を得ることができる。従って、工場等で天井梁に天井材の全部を、床梁に床材の全部を取付けておくことができ、現場施工工数を少なくすることができる。
【００２２】
そして、下階建物ユニットの天井梁に工場生産段階でバネ板を取付けておけば、施工現場では下階建物ユニットの上に上階建物ユニットを据え付けるだけで下階建物ユニットと上階建物ユニットを上下に強固に連結し、上階の床振動を抑制できる。
【００２３】
請求項２に記載の発明にあっては、下階建物ユニットの天井梁の上側フランジにバネ板の基端部を固定しておくことで、下階建物ユニットの上に上階建物ユニットを据え付けると、上階建物ユニットの断面コ字形の床梁に接合されている床小梁が上述のバネ板の先端部に当接し、これらのバネ板と床小梁を介して、下階建物ユニットの天井梁と上階建物ユニットの床小梁とを互いに引き寄せ、上下に強固に連結できる。
【００２４】
なお、バネ板において、その先端部の基端部からの高さを、下階建物ユニットの天井梁の上側フランジと上階建物ユニットの床小梁の下面とがなす間隙のばらつきを含む最大値と同等以上とすることにより、バネ板は弾性撓みによって上記ばらつきを必ず吸収しながら、上階建物ユニットの床小梁の下面に必ず当接できる。
【００２５】
このとき、下階建物ユニットと上階建物ユニットは、下階建物ユニットの上に上階建物ユニットを据え付けるだけでバネ板の粘着部と上階建物ユニットの床小梁との当接状態を得ることができる。従って、工場等で天井梁に天井材の全部を、床梁に床材の全部を取付けておくことができ、現場施工工数を少なくすることができる。
【００２６】
そして、下階建物ユニットの天井梁に工場生産段階でバネ板を取付けておけば、施工現場では下階建物ユニットの上に上階建物ユニットを据え付けるだけで下階建物ユニットと上階建物ユニットを上下に強固に連結し、上階の床振動を抑制できる。
【００２７】
請求項３に記載の発明にあっては、上記請求項１記載の発明の作用を奏するとともに、バネ板がほぼ中央部で折り返されてＵ字形に形成されて先端部が基端部の上に位置しているので、バネ板の先端部の基端部からの高さは、下階建物ユニットの天井梁の上側フランジと上階建物ユニットの床梁の下面とがなす間隙のばらつきを含む最大値と同等以上になっており、バネ板は弾性撓みによって上記ばらつきと上階建物ユニットの床振動を必ず吸収することができる。
【００２８】
請求項４に記載の発明にあっては、上記請求項１又は２記載の発明の作用を奏するとともに、バネ板が中途部で屈曲されて先端部が基端部よりも上方に位置しているので、バネ板の先端部の基端部からの高さは、下階建物ユニットの天井梁の上側フランジと上階建物ユニットの床梁の下面とがなす間隙のばらつきを含む最大値と同等以上になっており、バネ板は弾性撓みによって上記ばらつきと上階建物ユニットの床振動を必ず吸収することができる。
【００２９】
【発明の実施の形態】
先ず、この発明の第１の実施の形態を図１〜図４の実施例に基づいて説明する。
図１はユニット建物を示す斜視図、図２は建物ユニットの骨格を示す斜視図、図３は下階建物ユニットの天井梁と上階建物ユニットの床梁の連結構造を示す断面図、図４はバネ板を示し、（Ａ）は平面図、（Ｂ）は側面図である。
図１〜図４において、１はユニット建物、２は建物ユニット、２２は床梁、２３は天井梁、４はバネ板である。
【００３０】
ユニット建物１は、基礎９の上に一階の下階建物ユニット２を据え付け、この一階の下階建物ユニット２の上に二階の上階建物ユニット２を据え付け、この建物ユニット２の上に屋根パネル３を取り付けて構築されている。
【００３１】
建物ユニット２の骨格は、図２に示すように、方形の四隅に立設された４本の角筒状の鋼製の柱２１、２１、２１、２１と、この４本の柱２１の下端部を方形の辺に沿って連結された４本の断面コ字形長尺体の鋼製の床梁２２、２２、２２、２２と、この４本の柱２１の上端部を方形の辺に沿って連結された断面コ字形長尺体の鋼製の天井梁２３、２３、２３、２３とからなっている。
【００３２】
そして、相対する床梁２２、２２に断面ロ字形長尺体の鋼製の床小梁２４が差し渡され、この床小梁２４の先端に取り付けられたコ字形の取付片（不図示）が床梁２２に溶接されて取り付けられ、この床小梁２４の上に木製の床根太２５が取り付けられ、この床根太の上に床材（不図示）が取り付けられて床が形成される。また、相対する天井梁２３、２３に木製の天井野縁２７が差し渡され、この天井野縁２７の下面に天井材（不図示）が取り付けられて天井が形成されるものとなっている。
【００３３】
また、壁を設ける場所には床梁２２と天井梁２３との間に複数本の断面コ字形長尺体の鋼製の間柱２９が立設され、この間柱２９の内側に内壁パネルが取り付けられ、間柱の外側の外壁パネルが取り付けられ、この内壁パネルと外壁パネルとの間に断熱材が取り付けられて壁が形成されるものとなっている。
【００３４】
図３において、下階建物ユニットの天井梁と上階建物ユニットの床梁の連結構造を示しているが、図１のＡ部分の断面を示しており、この連結構造を説明するために、図１のＡ部分における一階の建物ユニット２を下階建物ユニット２−１とし、この下階建物ユニット２−１の上に据え付けられた二階の建物ユニット２を上階建物ユニット２−２とする。
【００３５】
バネ板４は、図４に示す如く、基端部４１に取付孔４３が穿設され、ほぼ中央部で折り返されて先端部４２が基端部４１の上に位置するような断面Ｕ字形に形成されて構成されており、下階建物ユニット２−１の天井梁２３の上側フランジ２３１に固定されている。なお、取付孔４３の上方の先端部４２は切り欠き４２１されてボルト５が挿入し易いようになっている。
【００３６】
すなわち、基端部４１に穿設した取付孔４３を通してボルト５・ナット６により、バネ板４は下階建物ユニット２−１の天井梁２３の上側フランジ２３１に固定されている。なお、先端部４２は下階建物ユニット２−１の天井梁２３及び上階建物ユニット２−２の床梁２２の方向に添う方向とされる。
【００３７】
そして、下階建物ユニット２−１の上に載せられる上階建物ユニット２−２の床梁２２の下側フランジ２２１に当接し、下階建物ユニット２−１の天井梁２３と上階建物ユニット２−２の床梁２２とが連結されている。
【００３８】
次に、下階建物ユニット２−１の天井梁２３と上階建物ユニット２−２の床梁２２との連結方法について説明する。
【００３９】
（ａ）下階建物ユニット２−１の天井梁２３の上側フランジ２３１に、バネ板４をボルト５とナット６により取着しておく。
（ｂ）下階建物ユニット２−１を基礎９の上に据え付ける。
（ｃ）下階建物ユニット２−１の上に上階建物ユニット２−２を据え付ける。
これにより、下階建物ユニット２−１のバネ板４の先端部４２に、上階建物ユニット２−２の床梁２２が上から乗って当接し、上下の建物ユニット２−１、２−２同士は連結される。
【００４０】
従って、この実施例によれば以下の作用がある。
（ａ）下階建物ユニット２−１の天井梁２３の上側フランジ２３１にバネ板４を固定しておくことで、下階建物ユニット２−１の上に上階建物ユニット２−２を据え付けると、上階建物ユニット２−２の床梁２２が上述のバネ板４に当接し、これらのバネ板４を介して、下階建物ユニット２−１と上階建物ユニット２−２は強固に連結できる。
【００４１】
そして、バネ板４の先端部４２の基端部４１からの高さは、下階建物ユニット２−１の天井梁２３の上側フランジ２３１と上階建物ユニット２−２の床梁２２の下側フランジ２２１とがなす間隙のばらつきを含む最大値と同等以上になっており、バネ板４は弾性撓みによって上記ばらつきと上階建物ユニットの床振動を必ず吸収することができる。
【００４２】
（ｂ）このとき、下階建物ユニット２−１と上階建物ユニット２−２は、下階建物ユニット２−１の上に上階建物ユニット２−２を据え付けるだけでバネ板４を上階建物ユニット２−２の床梁２２との当接状態を得ることができる。従って、工場等で天井梁２３に天井材の全部を、床梁２２に床材の全部を取付けておくことができ、現場施工工数を少なくすることができる。
【００４３】
（ｃ）また、下階建物ユニット２−１の天井梁２３に工場生産段階でバネ板４を取付けておけば、施工現場では下階建物ユニット２−１の上に上階建物ユニット２−２を据え付けるだけで下階建物ユニット２−１と上階建物ユニット２−２を上下に強固に連結し、上階の床振動を抑制できる。
【００４４】
次に、この発明の第２の実施の形態を図５及び図６に示す実施例に基づいて説明する。
【００４５】
図５は下階建物ユニットの天井梁と上階建物ユニットの床梁の連結構造を示す断面図、図６はバネ板を示し、（Ａ）は平面図、（Ｂ）は側面図である。
図５及び図６において、２ａ−１は下階建物ユニット、２ａ−２は上階建物ユニット、２２ａは床梁、２３ａは天井梁、４ａはバネ板である。
【００４６】
この第２の実施の形態においては、バネ板４ａの形態が相違すること以外、前記第１の実施の形態のものと特に相違せず、ユニット建物と建物ユニットの構成は図１〜図２に示すものと実質的に同じであるので説明を省略する。
【００４７】
バネ板４ａは、図６に示す如く、基端部４１ａに取付孔４３ａが穿設され、ほぼ中央部の中途部で屈曲されて先端部４２ａが基端部４１ａよりも上方に位置するように構成されており、下階建物ユニット２ａ−１の天井梁２３ａの上側フランジ２３１ａに固定されている。
【００４８】
すなわち、基端部４１ａに穿設した取付孔４３ａを通してボルト５ａ・ナット６ａにより、バネ板４ａは下階建物ユニット２ａ−１の天井梁２３ａの上側フランジ２３１ａに固定されている。なお、先端部４２ａは下階建物ユニット２ａ−１の天井梁２３ａ及び上階建物ユニット２ａ−２の床梁２２ａの方向に添う方向とされる。
【００４９】
そして、下階建物ユニット２ａ−１の上に載せられる上階建物ユニット２ａ−２の床梁２２ａの下側フランジ２２１ａに当接し、下階建物ユニット２ａ−１の天井梁２３ａと上階建物ユニット２ａ−２の床梁２２ａとが連結されている。
【００５０】
なお，下階建物ユニット２ａ−１の天井梁２３ａと上階建物ユニット２ａ−２の床梁２２ａとの連結方法及びこの実施の形態における作用についてについては、前記第１の実施の形態の場合と特に相違しないので説明を省略する。
【００５１】
次に、この発明の第３の実施の形態を図７及び図８に示す実施例に基づいて説明する。
【００５２】
図７は下階建物ユニットの天井梁と上階建物ユニットの床小梁の連結構造を示す断面図、図８はバネ板を示し、（Ａ）は平面図、（Ｂ）は側面図である。
図７及び図８において、２ｂ−１は下階建物ユニット、２ｂ−２は上階建物ユニット、２２ｂは床梁、２３ｂは天井梁、２４ｂは床小梁、４ｂはバネ板である。
【００５３】
この第３の実施の形態においても、ユニット建物と建物ユニットの構成は図１〜図２に示すものと実質的に同じであるので説明を省略する。
【００５４】
この第３の実施の形態においては、バネ板４ｂの先端部が上階建物ユニット２ｂ−２の断面コ字形の床梁２２ｂに接合されている床小梁２４ｂの下面に当接している点において、第１及び第２の実施の形態と相違している。
【００５５】
そして、バネ板４ｂは、図８に示す如く、基端部４１ｂに取付孔４３ｂが穿設され、ほぼ中央部の中途部で屈曲されて先端部４２ｂが基端部４１ｂよりも上方に位置するように構成されている点では、上記バネ板４ａと構成が似ているが、下階建物ユニット２ｂ−１の天井梁２３ｂの上側フランジ２３１ｂに固定される場合において、先端部４２ｂの取付方向が下階建物ユニット２ｂ−１の内側に突き出ている点で異なっている。
【００５６】
すなわち、基端部４１ｂに穿設した取付孔４３ｂを通してボルト５ｂ・ナット６ｂにより、バネ板４ｂは下階建物ユニット２ｂ−１の天井梁２３ｂの上側フランジ２３１ｂに、その先端部４２ｂを下階建物ユニット２ｂ−１の内側に突き出るようにして固定されている。
【００５７】
そして、下階建物ユニット２ｂ−１の上に載せられる上階建物ユニット２ｂ−２の床梁２２ｂに取付片２４１ｂを介して接合されている床小梁２４ｂの下面が、下階建物ユニット２ｂ−１側の上記バネ板４ｂの先端部４２ｂに当接し、これらのバネ板４ｂと床小梁２４ｂを介して、下階建物ユニット２ｂ−１の天井梁２３ｂと上階建物ユニット２ｂ−２の床小梁２３ｂとが連結される。
【００５８】
次に、下階建物ユニット２ｂ−１の天井梁２３ｂと上階建物ユニット２ｂ−２の床小梁２４ｂの連結方法について説明する。
【００５９】
（ａ）下階建物ユニット２ｂ−１の天井梁２３ｂの上側フランジに、バネ板４ｂの基端部４１ｂをボルト５ｂを取付孔４３ｂを通してナット６ｂにより取着しておく。
（ｂ）下階建物ユニット２ｂ−１を基礎の上に据え付ける。
（ｃ）下階建物ユニット２ｂ−１の上に上階建物ユニット２ｂ−２を据え付ける。これにより、下階建物ユニット２ｂ−１の内側のバネ板４ｂの先端部は、上階建物ユニット２ｂ−２の床梁２２ｂに取着されている床小梁２４ｂが上から乗って当接し、これにより、上下の建物ユニット２ｂ−１，２ｂ−２同士はそれらのバネ板４ｂ、床小梁２４ｂを介して連結される。
【００６０】
従って、この実施例によれば以下の作用がある。
（ａ）下階建物ユニット２ｂ−１の天井梁２３ｂの上側フランジ２３１ｂにバネ板４ｂを固定しておくことで、下階建物ユニット２ｂ−１の上に上階建物ユニット２ｂ−２を据え付けると、上階建物ユニット２ｂ−２の床小梁２４ｂが上述のバネ板４ｂの先端部４２ｂに当接し、バネ板４ｂと床小梁２４ｂを介して、下階建物ユニット２ｂ−１の天井梁２３ｂと上階建物ユニット２ｂ−２の床小梁２４ｂとを互いに引き寄せ、上下に強固に連結できる。
【００６１】
そして、バネ板４ｂの先端部４２ｂの基端部４１ｂからの高さは、下階建物ユニット２ｂ−１の天井梁２３ｂの上側フランジ２３１ｂと上階建物ユニット２ｂ−２の床小梁２４ｂの下面とがなす間隙のばらつきを含む最大値と同等以上になっており、バネ板４ｂ先端部４２ｂは弾性撓みによって上記ばらつきと上階建物ユニット２ｂ−２の床振動を吸収することができる。
【００６２】
（ｂ）このとき、下階建物ユニット２ｂ−１と上階建物ユニット２ｂ−２は、下階建物ユニット２ｂ−１の上に上階建物ユニット２ｂ−２を据え付けるだけでバネ板４ｂの先端部４２ｂが、上階建物ユニット２ｂ−２の床小梁２４ｂと当接状態となることができる。従って、工場等で天井梁２３ｂに天井材の全部を、床梁２２ｂに床材の全部を取付けておくことができ、現場施工工数を少なくすることができる。
【００６３】
（ｃ）そして、下階建物ユニット２ｂ−１の天井梁２３ｂに工場生産段階でバネ板１５１を取付けておけば、施工現場では下階建物ユニット２ｂ−１の上に上階建物ユニット２ｂ−２を据え付けるだけで下階建物ユニット２ｂ−１と上階建物ユニット２ｂ−２を上下に強固に連結し、上階の床振動を抑制できる。
【００６４】
【発明の効果】
請求項１に記載の発明にあっては、下階建物ユニットの天井梁の上側フランジにバネ板の基端部を固定しておくことで、下階建物ユニットの上に上階建物ユニットを据え付けると、上階建物ユニットの床梁が上述のバネ板の先端部に当接して、下階建物ユニットの天井梁と上階建物ユニットの床梁とを互いに引き寄せ、上下に強固に連結できる。
【００６５】
なお、バネ板において、その先端部の基端部からの高さを、下階建物ユニットの天井梁の上側フランジと上階建物ユニットの床梁の下面とがなす間隙のばらつきを含む最大値と同等以上とすることにより、バネ板は弾性撓みによって上記ばらつきを必ず吸収しながら、上階建物ユニットの床梁の下面に必ず当接できる。
【００６６】
このとき、下階建物ユニットと上階建物ユニットは、下階建物ユニットの上に上階建物ユニットを据え付けるだけでバネ板の先端部と上階建物ユニットの床梁との当接状態を得ることができる。従って、工場等で天井梁に天井材の全部を、床梁に床材の全部を取付けておくことができ、現場施工工数を少なくすることができる。
【００６７】
そして、下階建物ユニットの天井梁に工場生産段階でバネ板を取付けておけば、施工現場では下階建物ユニットの上に上階建物ユニットを据え付けるだけで下階建物ユニットと上階建物ユニットを上下に強固に連結し、上階の床振動を抑制できる。
【００６８】
請求項２に記載の発明にあっては、下階建物ユニットの天井梁の上側フランジにバネ板の基端部を固定しておくことで、下階建物ユニットの上に上階建物ユニットを据え付けると、上階建物ユニットの断面コ字形の床梁に接合されている床小梁が上述のバネ板の先端部に当接し、これらのバネ板と床小梁を介して、下階建物ユニットの天井梁と上階建物ユニットの床小梁とを互いに引き寄せ、上下に強固に連結できる。
【００６９】
なお、バネ板において、その先端部の基端部からの高さを、下階建物ユニットの天井梁の上側フランジと上階建物ユニットの床小梁の下面とがなす間隙のばらつきを含む最大値と同等以上とすることにより、バネ板は弾性撓みによって上記ばらつきを必ず吸収しながら、上階建物ユニットの床小梁の下面に必ず当接できる。
【００７０】
このとき、下階建物ユニットと上階建物ユニットは、下階建物ユニットの上に上階建物ユニットを据え付けるだけでバネ板の粘着部と上階建物ユニットの床小梁との当接状態を得ることができる。従って、工場等で天井梁に天井材の全部を、床梁に床材の全部を取付けておくことができ、現場施工工数を少なくすることができる。
【００７１】
そして、下階建物ユニットの天井梁に工場生産段階でバネ板を取付けておけば、施工現場では下階建物ユニットの上に上階建物ユニットを据え付けるだけで下階建物ユニットと上階建物ユニットを上下に強固に連結し、上階の床振動を抑制できる。
【００７２】
請求項３に記載の発明にあっては、上記請求項１記載の発明の作用を奏するとともに、バネ板がほぼ中央部で折り返されてＵ字形に形成されて先端部が基端部の上に位置しているので、バネ板の先端部の基端部からの高さは、下階建物ユニットの天井梁の上側フランジと上階建物ユニットの床梁の下面とがなす間隙のばらつきを含む最大値と同等以上になっており、バネ板は弾性撓みによって上記ばらつきと上階建物ユニットの床振動を必ず吸収することができる。
【００７３】
請求項４に記載の発明にあっては、上記請求項１又は２記載の発明の作用を奏するとともに、バネ板が中途部で屈曲されて先端部が基端部よりも上方に位置しているので、バネ板の先端部の基端部からの高さは、下階建物ユニットの天井梁の上側フランジと上階建物ユニットの床梁の下面とがなす間隙のばらつきを含む最大値と同等以上になっており、バネ板は弾性撓みによって上記ばらつきと上階建物ユニットの床振動を必ず吸収することができる。
【図面の簡単な説明】
【図１】この発明の建物ユニットの連結構造により構築されたユニット建物の一例を示す斜視図である。
【図２】この発明の建物ユニットの連結構造に用いられる建物ユニットの一例の骨格を示す斜視図である。
【図３】この発明の第１の実施の形態における下階建物ユニットの天井梁と上階建物ユニットの床梁の連結構造を示す断面図である。
【図４】この発明の第１の実施の形態におけるバネ板を示し、（Ａ）は平面図、（Ｂ）は側面図である。
【図５】この発明の第２の実施の形態における下階建物ユニットの天井梁と上階建物ユニットの床梁の連結構造を示す断面図である。
【図６】この発明の第２の実施の形態におけるバネ板を示し、（Ａ）は平面図、（Ｂ）は側面図である。
【図７】この発明の第３の実施の形態における下階建物ユニットの天井梁と上階建物ユニットの床梁の連結構造を示す断面図である。
【図８】この発明の第３の実施の形態におけるバネ板を示し、（Ａ）は平面図、（Ｂ）は側面図である。
【符号の説明】
１      ユニット建物
２      建物ユニット
２−１、２ａ−１、２ｂ−１  下階建物ユニット
２−２、２ａ−２、２ｂ−２  上階建物ユニット
２２、２２ａ、２２ｂ      床梁
２３、２３ａ、２３ｂ      天井梁
２４、２４ａ、２４ｂ      床小梁
４、４ａ、４ｂ      バネ板
４１、４１ａ、４１ｂ  バネ板の基端部
４２、４２ａ、４２ｂ  バネ板の先端部
【図１】
0004146593.tif 000002
【図２】
0004146593.tif 000003
【図３】
0004146593.tif 000004
【図４】
0004146593.tif 000005
【図５】
0004146593.tif 000006
【図６】
0004146593.tif 000007
【図７】
0004146593.tif 000008
【図８】
0004146593.tif 000009